(57)【要約】【課題】表示パネルの周縁部における表示パネルへの光漏れを抑制することができ、しかも、表示パネルの駆動回路が発する熱を効率よく外部へ放出することができる表示装置及びテレビ受像機を提供する。【解決手段】熱伝導性を有する遮光シート４１が、表示パネル２１の背面２１２の周縁下辺部２１ａとＬＥＤ基板２６の前側端面とに接触し、且つ、周縁下辺部２１ａからＬＥＤ基板２６の前側端部までの空間Ｓを覆っている。ＬＥＤ２５，２５，…から放射された光の内、導光板２３の下端面２３ｂから導光板２３の内部に入射しなかった光は、遮光シート４１に遮蔽されるため、表示パネル２１の内部には入射しない。また、ドライバＬＳＩ２７１が発した熱は、フレキシブル基板２７２、両面粘着シート４５、及び遮光シート４１を介して、例えば表示パネル２１へ伝導し、表示面２１１から外部へ放出される。【選択図】図３
2013130831.tif 000002
【特許請求の範囲】
【請求項１】
正面側に表示面を有する表示パネルと、
該表示パネルの背面側に配置してあり、一側端面から内部に入射した光を正面側から出射する導光板と、
前記一側端面に対向配置してある光源と、
前記表示パネルの駆動回路が実装されている回路基板と
を備える表示装置であって、
少なくとも前記表示パネルの背面における前記光源の側の周縁部を覆い、前記回路基板よりも高い熱伝導性を有し、前記駆動回路が発する熱が前記回路基板を介して伝導可能にしてある遮光シートを備えることを特徴とする表示装置。
【請求項２】
前記遮光シートから前記表示パネルへの熱伝導が可能にしてあることを特徴とする請求項１に記載の表示装置。
【請求項３】
前記光源が実装されている光源基板と、
前記光源が発する熱を外部へ放出すべく、前記光源基板に取り付けられている放熱部材と
を更に備え、
前記遮光シートから前記放熱部材又は前記光源基板への熱伝導が可能にしてあることを特徴とする請求項１又は２に記載の表示装置。
【請求項４】
前記遮光シートは、前記回路基板と前記放熱部材との間に介在していることを特徴とする請求項３に記載の表示装置。
【請求項５】
前記遮光シートと前記回路基板とが、該回路基板よりも高い熱伝導性を有する両面粘着シートを介して接着してあることを特徴とする請求項１から４の何れかひとつに記載の表示装置。
【請求項６】
前記表示面の周縁部を囲繞するキャビネットと、
該キャビネットに配されており、前記遮光シート及び前記回路基板の一方を他方に押し付ける押付部と
を更に備えることを特徴とする請求項１から５の何れかひとつに記載の表示装置。
【請求項７】
前記駆動回路は、前記回路基板の一面に実装されており、
前記回路基板の他面の前記駆動回路の実装位置に対応する位置で前記遮光シートから前記回路基板への熱伝導が可能にしてあることを特徴とする請求項１から６の何れかひとつに記載の表示装置。
【請求項８】
請求項１から７の何れかひとつに記載の表示装置と、
テレビジョン信号を受信する受信部と
を備え、
前記表示装置は、前記受信部が受信したテレビジョン信号に基づく映像を表示するようにしてあることを特徴とすることを特徴とするテレビ受像機。
【発明の詳細な説明】
【技術分野】
【０００１】
本発明は、光源から放射された光によって表示パネルが照明される表示装置、及びこの表示装置を備えるテレビ受像機に関する。
【背景技術】
【０００２】
液晶表示装置は、液晶表示パネルとバックライトとを備えている。バックライトは、液晶表示パネルの背面側から液晶表示パネルを照明する。
エッジライト方式のバックライトは、液晶表示パネルの背面側に、光学シート群を介して導光板を配置し、導光板の一側端面（例えば下側端面）に、ＬＥＤを対向配置してなる（特許文献１参照）。
ＬＥＤから放射された光は、導光板によって液晶表示パネルの背面側へ導かれ、光学シート群による拡散及び集光等を経て、液晶表示パネルの内部に入射する。この結果、液晶表示パネルの表示面が均一に明るくなる。
【０００３】
導光板の一側方（例えば下側方）には、プリント基板が配されている。プリント基板と液晶表示パネルとの間には、ＳＯＦ（System On Film）が介在している。ＳＯＦは、液晶表示パネルの表示面に映像を表示させるためのドライバＬＳＩと、このドライバＬＳＩが実装されているフレキシブル基板とを備える。
液晶表示パネル、バックライト、プリント基板、及びＳＯＦは、前キャビネットと後キャビネットとを用いてなる筐体に収容されている。
【先行技術文献】
【特許文献】
【０００４】
【特許文献１】特開２００１−１１７０９７号公報
【発明の概要】
【発明が解決しようとする課題】
【０００５】
ＬＥＤから放射された光が、光学シート群を介さず液晶表示パネルの内部に入射する現象（以下、光漏れという）が生じた場合、表示面の一部分が他部分よりも無用に明るくなる。この結果、表示面に表示されている映像の画質が劣化する。
光漏れの原因は、液晶表示パネルの背面の周縁部が光学シート群に被覆されていないこと、及び、ＬＥＤと液晶表示パネルとの間に、光が通過し得る空間（以下、漏光空間という）が存在すること等である。このため、ＬＥＤから放射された光の一部が、導光板の内部に入射せずに漏光空間を通り、直接的に、又は前キャビネットの内面及び導光板の正面等で反射することによって、液晶表示パネルの内部に入射する。
【０００６】
特許文献１に記載の液晶表示装置は、ＬＥＤから放射された光を導光板側へ反射する反射板と、両面粘着シート状の遮光部材とを更に備える。反射板の端縁は、遮光部材によって、導光板の端縁に固定されている。反射板及び遮光部材は、漏光空間を閉鎖している。このため、導光板の内部に入射しなかった光は、反射板にて反射するか、又は、遮光部材にて反射若しくは吸収等される。
また、従来の他の液晶表示装置には、液晶表示パネルが取り付けられるパネルシャーシを更に備え、光学シート群、導光板、及びＬＥＤをパネルシャーシで覆う構成のものがある。パネルシャーシは、漏光空間を閉鎖している。このため、ＬＥＤから放射された光は、導光板の内部及び光学シート群を介さない限り、液晶表示パネルの内部に入射することができない。
【０００７】
近年、表示装置の薄型化、狭額縁化を図るべく、部品点数が削減されている。しかしながら、反射板又はパネルシャーシを削減した場合、光漏れを抑制することができない。
更に、ＳＯＦが備えているドライバＬＳＩは熱を発するため、放熱が不十分な場合、熱暴走する虞がある。
【０００８】
本発明は斯かる事情に鑑みてなされたものであり、その主たる目的は、薄型化及び狭額縁化を図りつつ、表示パネルの周縁部における表示パネルへの光漏れを抑制することができ、しかも、表示パネルの駆動回路が発する熱を効率よく外部へ放出することができる表示装置、及びこの表示装置を備えるテレビ受像機を提供することにある。
【課題を解決するための手段】
【０００９】
本発明に係る表示装置は、正面側に表示面を有する表示パネルと、該表示パネルの背面側に配置してあり、一側端面から内部に入射した光を正面側から出射する導光板と、前記一側端面に対向配置してある光源と、前記表示パネルの駆動回路が実装されている回路基板とを備える表示装置であって、少なくとも前記表示パネルの背面における前記光源の側の周縁部を覆い、前記回路基板よりも高い熱伝導性を有し、前記駆動回路が発する熱が前記回路基板を介して伝導可能にしてある遮光シートを備えることを特徴とする。
【００１０】
本発明に係る表示装置は、前記遮光シートから前記表示パネルへの熱伝導が可能にしてあることを特徴とする。
【００１１】
本発明に係る表示装置は、前記光源が実装されている光源基板と、前記光源が発する熱を外部へ放出すべく、前記光源基板に取り付けられている放熱部材とを更に備え、前記遮光シートから前記放熱部材又は前記光源基板への熱伝導が可能にしてあることを特徴とする。
【００１２】
本発明に係る表示装置は、前記遮光シートは、前記回路基板と前記放熱部材との間に介在していることを特徴とする。
【００１３】
本発明に係る表示装置は、前記遮光シートと前記回路基板とが、該回路基板よりも高い熱伝導性を有する両面粘着シートを介して接着してあることを特徴とする。
【００１４】
本発明に係る表示装置は、前記表示面の周縁部を囲繞するキャビネットと、該キャビネットに配されており、前記遮光シート及び前記回路基板の一方を他方に押し付ける押付部とを更に備えることを特徴とする。
【００１５】
本発明に係る表示装置は、前記駆動回路は、前記回路基板の一面に実装されており、前記回路基板の他面の前記駆動回路の実装位置に対応する位置で前記遮光シートから前記回路基板への熱伝導が可能にしてあることを特徴とする。
【００１６】
本発明に係るテレビ受像機は、本発明に係る表示装置と、テレビジョン信号を受信する受信部とを備え、前記表示装置は、前記受信部が受信したテレビジョン信号に基づく映像を表示するようにしてあることを特徴とする。
【００１７】
本発明にあっては、表示装置は、表示パネル、導光板、光源、回路基板、及び遮光シートを備える。
光源は、導光板の一側端面に対向配置されている。このため、光源から放射された光の一部は、導光板の一側端面から導光板の内部に入射し、導光板の正面側から出射されることによって、表示パネルの背面側へ導かれる。
光源から放射された光の他の一部が、導光板の内部を通過せずに表示パネルへ入射しようとしても、遮光シートによって遮蔽される。従って、光漏れが抑制される。
【００１８】
何故ならば、遮光シートは、表示パネルの背面の周縁部の内、光源側の周縁部（以下、光源側周縁部という）を覆うからである。表示パネルの背面の光源側周縁部は、ここから表示パネルの内部に光が入射することによって、最も強く光漏れが生じる部分である。
なお、表示パネルの背面における光源側周縁部のみならず、光源側周縁部以外の周縁部も遮光シートで覆う場合には、例えば導光板の一側端面以外の端面から出射した光による光漏れを抑制することが可能である。
【００１９】
以上のような遮光シートは、回路基板よりも高い熱伝導性を有する。また、表示パネルの駆動回路（以下、単に駆動回路という）が発する熱が、回路基板を介して遮光シートに熱伝導可能にしてある。このため、駆動回路が発した熱は、駆動回路に蓄積されたり回路基板に拡散したりするよりも、遮光シートへ伝導し易い。従って、駆動回路が、自らが発した熱で過熱又は熱暴走等することが抑制される。また、回路基板又は回路基板に実装されている他の電子部品等に、高熱による不具合が生じることが抑制される。
【００２０】
本発明にあっては、遮光シートから表示パネルへの熱伝導が可能にしてある。このため、駆動回路が発した熱は、回路基板を介して遮光シートへ伝導し、更に、遮光シートから表示パネルへ伝導する。
表示パネルは、少なくとも表示面が表示装置の外部に露出しているため、表示パネルへ伝導した熱は、表示装置の外部へ効率よく放出される。
【００２１】
従来、放熱部材を備える表示装置が提案されている。このため、遮光シートから放熱部材へ熱を伝導させることも考えられる。しかしながら、例えば構造上の問題で放熱部材へ熱を伝導させることができないか、又は、放熱部材の温度が高く、逆に放熱部材から駆動回路側へ熱が伝導してくる場合等がある。遮光シートから表示パネルへ熱を伝導させる本発明の構成は、このような不都合を解消し得る。
【００２２】
本発明にあっては、表示装置は、光源基板及び放熱部材を更に備える。
放熱部材は、光源が実装されている光源基板に取り付けられている。
光源が発した熱は、光源基板を介して放熱部材へ伝導する。
一方、駆動回路が発した熱は、回路基板を介して遮光シートへ伝導し、更に、遮光シートから光源基板を介して放熱部材へ伝導する。又は、駆動回路が発した熱は、回路基板を介して遮光シートへ伝導し、更に、遮光シートから放熱部材へ直接的に伝導する。
【００２３】
放熱部材は、通常放熱用途ではない表示パネルに比べて放熱効率が高い。このため、光源由来であれ駆動回路由来であれ、放熱部材へ伝導した熱は、表示装置の外部へ効率よく放出される。
特に、駆動回路が発した熱が、表示パネルの動作不良又は破損等を招きかねない場合には、遮光シートを光源基板又は放熱部材へ熱を伝導させる本発明の構成が好適である。
【００２４】
本発明にあっては、回路基板と放熱部材との間に介在している遮光シートが、回路基板を保護することができる。
一般に、放熱部材は金属製である。このため、仮に、遮光シートが回路基板と放熱部材との間に介在しない場合、表示装置に外力が加わったときに、回路基板と放熱部材との直接的な摩擦又は衝突等によって、回路基板、回路基板に形成されている配線、又は回路基板に実装されている電子部品等に損傷又は切断等が生じる虞がある。
【００２５】
本発明にあっては、表示装置の製造時に、遮光シートと回路基板とが、両面粘着シートを介して接着される。
両面粘着シートを用いて２部材を接着する作業は簡単である。
また、遮光シートと回路基板とを接着する前に、これらの配置位置にズレが生じている場合であっても、生じたズレに応じて両面粘着シートの配置位置を変更すれば、特段の問題なく両者を接着することができる。
両面粘着シートは、回路基板よりも高い熱伝導性を有するため、駆動回路が発した熱が、遮光シートへ伝導し易い。
【００２６】
本発明にあっては、表示装置は、キャビネット及び押付部を更に備える。
このキャビネットは、例えば前キャビネットであり、少なくとも表示パネルの表示面の周縁部を囲繞する。
キャビネットに配されている押付部は、遮光シートを回路基板に押し付けるか、又は、回路基板を遮光シートに押し付ける。このため、遮光シートから回路基板へ直接的に熱を伝導させることができる。また、例えば熱伝導を阻害しない接着テープを用いて遮光シートと回路基板とを接着する場合よりも、表示装置の部品点数を削減することができる。
【００２７】
本発明にあっては、回路基板から遮光シートへ熱が伝導する位置（以下、熱伝導位置という）は、その一面に駆動回路が実装されている回路基板の他面の、一面における駆動回路の実装位置に対応する位置（要するに駆動回路の実装位置の真裏の位置）である。
遮光シートへの熱伝導効率は、熱伝導位置が駆動回路に近いほど向上する。本発明の構成であれば、熱伝導位置を駆動回路に最も近づけることができるため、遮光シートへの熱伝導効率を最大限に向上させることができる。
【００２８】
本発明にあっては、テレビ受像機は、本発明に係る表示装置と受信部とを備える。
本発明に係る表示装置においては、光漏れが抑制されている。従って、受信部が受信したテレビジョン信号に基づく映像を表示する場合に、表示された映像の画質が、光漏れによって劣化する虞はない。
また、駆動回路が発した熱に起因する表示装置の動作不良又は破損等が抑制されているため、テレビ受信機の動作不良又は破損等を抑制することができる。
【発明の効果】
【００２９】
本発明の表示装置及びテレビ受像機による場合、従来の液晶表示装置が備えているような反射板及び遮光部材、又はパネルシャーシ等を備えていない構成であっても、光漏れを抑制することができる。何故ならば、表示パネルへ入射しようとする無用な光を、表示パネルの背面の光源側周縁部を覆う遮光シートが遮蔽するからである。
遮光シートは、従来の反射板及び遮光部材、又はパネルシャーシ等に比べて軽量、小型、又は薄型の部材として構成することができるため、表示装置及びテレビ受像機の薄型化及び狭額縁化を阻害することはない。
【００３０】
しかも、遮光シートを利用して、駆動回路が発する熱を効率よく外部へ放出することができる。このとき、遮光シート以外の新たな放熱部材を追加する必要がないため、表示装置及びテレビ受像機の薄型化及び狭額縁化を図ることができる。
【図面の簡単な説明】
【００３１】
【図１】本発明の実施の形態１に係るテレビ受像機の外観を示す斜視図である。
【図２】本発明の実施の形態１に係る表示装置の構成を模式的に示す凸部突設位置の縦断面図である。
【図３】本発明の実施の形態１に係る表示装置の構成を模式的に示す凸部非突設位置の縦断面図である。
【図４】本発明の実施の形態１に係る表示装置が備える前キャビネットの一部分の構成を示す拡大背面図である。
【図５】本発明の実施の形態１に係る表示装置が備える前キャビネットの一部分の構成を示す拡大斜視図である。
【図６】本発明の実施の形態１に係る表示装置が備える前キャビネットにパネルユニットを取り付けた状態を示す拡大斜視図である。
【図７】本発明の実施の形態１に係る表示装置が備える前キャビネットに対する遮光シートの取り付けを説明するための拡大背面図である。
【図８】本発明の実施の形態１に係る表示装置が備える前キャビネットに対する遮光シートの取り付けを説明するための拡大斜視図である。
【図９】本発明の実施の形態１に係る表示装置が備える前キャビネットに遮光シートを取り付けた状態を示す拡大背面図である。
【図１０】本発明の実施の形態１に係る表示装置が備える前キャビネットに遮光シートを取り付けた状態を示す拡大斜視図である。
【図１１】本発明の実施の形態１に係る表示装置が備える前キャビネットに対するＬＥＤユニットの取り付けを説明するための拡大斜視図である。
【図１２】本発明の実施の形態１に係る表示装置が備える前キャビネットにＬＥＤユニットを取り付けた状態を示す拡大斜視図である。
【図１３】本発明の実施の形態１に係る表示装置が備える遮光シートの作用効果を説明するための凸部突設位置の縦断面図である。
【図１４】本発明の実施の形態１に係る表示装置が備える遮光シートの作用効果を説明するための凸部非突設位置の縦断面図である。
【図１５】本発明の実施の形態２に係る表示装置が備える前キャビネットに対する遮光シートの取り付けを説明するための拡大背面図である。
【図１６】本発明の実施の形態２に係る表示装置が備える前キャビネットに遮光シートを取り付けた状態を示す拡大背面図である。
【図１７】本発明の実施の形態３に係る表示装置の構成を模式的に示す縦断面図である。
【図１８】本発明の実施の形態３に係る表示装置が備える前キャビネットに対する遮光シートの取り付けを説明するための拡大背面図である。
【図１９】本発明の実施の形態４に係る表示装置の構成を模式的に示す縦断面図である。
【図２０】本発明の実施の形態５に係る表示装置の構成を模式的に示す凸部突設位置の縦断面図である。
【図２１】本発明の実施の形態５に係る表示装置の構成を模式的に示す凸部非突設位置の縦断面図である。
【図２２】本発明の実施の形態５に係る表示装置が備える前キャビネットの一部分の構成を示す拡大背面図である。
【図２３】本発明の実施の形態５に係る表示装置が備える前キャビネットの一部分の構成を示す拡大斜視図である。
【図２４】本発明の実施の形態５に係る表示装置が備える前キャビネットにパネルユニットを取り付けた状態を示す拡大背面図である。
【図２５】本発明の実施の形態５に係る表示装置が備える前キャビネットにパネルユニットを取り付けた状態を示す拡大斜視図である。
【図２６】本発明の実施の形態５に係る表示装置が備えるヒートシンクに対するシート部材の取り付けを説明するための拡大斜視図である。
【図２７】本発明の実施の形態５に係る表示装置が備えるヒートシンクにシート部材を取り付けた状態を示す拡大斜視図である。
【図２８】本発明の実施の形態５に係る表示装置が備える前キャビネットに対するＬＥＤ遮光ユニットの取り付けを説明するための拡大斜視図である。
【図２９】本発明の実施の形態５に係る表示装置が備える前キャビネットにＬＥＤ遮光ユニットを取り付けた状態を示す拡大背面図である。
【図３０】本発明の実施の形態５に係る表示装置が備える前キャビネットにＬＥＤ遮光ユニットを取り付けた状態を示す拡大斜視図である。
【発明を実施するための形態】
【００３２】
以下、本発明を、その実施の形態を示す図面に基づいて詳述する。
【００３３】
実施の形態  １．
図１は、本発明の実施の形態１に係るテレビ受像機１の外観を示す斜視図である。
図２及び図３は、本発明の実施の形態１に係る表示装置１０の構成を模式的に示す縦断面図である。ただし、図２は、各後述する遮光凸部３４及び位置決め凸部４２３が突設されている位置（即ち凸部突設位置）における断面を示し、図３は、遮光凸部３４及び位置決め凸部４２３が突設されていない位置（即ち凸部非突設位置）における断面を示している。また、図２及び図３は、各後述する受信部１１、信号処理部１２、及び後キャビネット３２等の図示を省略してある。図２及び図３に示す矢符は、光の方向を表わしている。
【００３４】
以下では、図２及び図３の左側及び右側を、表示装置１０（延いてはテレビ受像機１）の前側及び後側、又は正面側及び背面側という。また、図２及び図３の紙面垂直方向は、表示装置１０の左右方向である。以下では、図２及び図３の紙面垂直方向の手前側及び奥側を、表示装置１０の左側及び右側という。
図４及び図５は、前キャビネット３１（後述）の一部分の構成を示す拡大背面図及び拡大斜視図である。具体的には、図４及び図５には、前キャビネット３１の左下角部が示されている。
図６は、前キャビネット３１にパネルユニット（後述）を取り付けた状態を示す拡大斜視図である。図６には、図５に示す前キャビネット３１にパネルユニットが取り付けられた状態が示されている。
【００３５】
図７及び図８は、前キャビネット３１に対する遮光シート４１（後述）の取り付けを説明するための拡大背面図及び拡大斜視図である。図７には、図４に示す前キャビネット３１にパネルユニットが取り付けられ、そこへ遮光シート４１が取り付けられる状態が示されている。図８には、図６に示す前キャビネット３１へ遮光シート４１が取り付けられる状態が示されている。
図９及び図１０は、前キャビネット３１に遮光シート４１を取り付けた状態を示す拡大背面図及び拡大斜視図である。図９及び図１０には、図７及び図８に示す前キャビネット３１に遮光シート４１が取り付けられた状態が示されている。
【００３６】
図１１は、前キャビネット３１に対するＬＥＤユニット（後述）の取り付けを説明するための拡大斜視図である。図１１には、パネルユニットが取り付けられている前キャビネット３１（図６参照）とＬＥＤユニットとが示されている。
図１２は、前キャビネット３１にＬＥＤユニットを取り付けた状態を示す拡大斜視図である。図１２には、図１１に示す前キャビネット３１に、遮光シート４１及びＬＥＤユニットが取り付けられた状態が示されている。
【００３７】
まず、図１を参照しつつ、テレビ受像機１の構成を説明する。
テレビ受像機１は、表示装置１０、受信部１１、信号処理部１２、及びスタンド１３を備えている。
表示装置１０は、筐体１００と、矩形状の表示パネル２１とを備えている。筐体１００の前部（及び後部）は、矩形枠状の前キャビネット３１（及び矩形トレイ状の後キャビネット３２）を用いてなる。
受信部１１及び信号処理部１２は、筐体１００に内蔵されている。なお、受信部１１及び信号処理部１２は、表示装置１０に外付けされていてもよい。
【００３８】
表示装置１０は、受信部１１が受信したテレビジョン信号に基づく映像を表示する。このために、受信部１１は、図示しないアンテナを介して、外部からテレビジョン信号を受信し、信号処理部１２は、受信部１１が受信したテレビジョン信号に所定の信号処理を施すことによって、映像データを出力する。
表示パネル２１は、正面側に表示面２１１を有する。そして、表示パネル２１は、信号処理部１２が出力した映像データに基づく映像を、表示面２１１に表示する。
スタンド１３は、表示装置１０の下部に設けられており、縦姿勢の表示装置１０を支持する。
【００３９】
前キャビネット３１はアルミニウムを用いて押出成形してなり、その中央部に矩形状の開口３１ａを有する。
後キャビネット３２は、例えば電気亜鉛めっき鋼板からなる。
前キャビネット３１及び後キャビネット３２の上下及び左右寸法は略同じであり、互いの周縁部分が対向している。
【００４０】
表示パネル２１は、液晶表示パネルを用いてなる。表示パネル２１は、表示面２１１の中央部に位置する有効表示領域が開口３１ａから露出するように、縦姿勢で筐体１００に収容されている。表示パネル２１の縦横（即ち上下方向及び左右方向）の寸法は、開口３１ａの縦横の寸法よりも若干大きい。故に、前キャビネット３１は、表示パネル２１の表示面２１１の周縁部を囲繞している。
前キャビネット３１は、本発明の実施の形態におけるキャビネットとして機能する。
【００４１】
次に、表示装置１０の構成を詳述する。以下では、主に前キャビネット３１の周縁部の内、下辺部（以下、周縁下辺部という）の近傍の構成について説明する。
まず、図２〜図５を参照しつつ、前キャビネット３１の構成を更に説明する。
前キャビネット３１は、前枠部３１１及び突出枠部３１２を備えている。
前枠部３１１は、中央部に開口３１ａが形成された矩形板状になしてあり、前枠部３１１の前面は露出している（即ち外面である）。
【００４２】
前枠部３１１の後面（即ち前枠部３１１の内面）における開口３１ａの開口縁部（即ち前枠部３１１の内縁部分）には、表示パネル２１の損傷を抑制するための弾性部材３３が、前枠部３１１の周縁方向に沿って連続的又は断続的に配置してある。ただし、図４及び図５における弾性部材３３の図示は省略してある。
【００４３】
前枠部３１１の内面の上下方向中央部分には、前枠部３１１の周縁下辺部の周縁方向（具体的には左右方向）に並設された複数個の遮光凸部３４，３４，…と、長手方向が左右方向に沿う位置決め溝３５とが備えられている。遮光凸部３４，３４，…は、弾性部材３３よりも下側（換言すれば、弾性部材３３よりも前枠部３１１の外縁側）に位置し、位置決め溝３５は遮光凸部３４，３４，…よりも更に下側に位置している。
位置決め溝３５は、後述するヒートシンク４２の位置決めに用いられる。
【００４４】
各遮光凸部３４は、前枠部３１１の内面から後方向へ、即ち前キャビネット３１から後述する導光板２３側へ突出している。各遮光凸部３４の横断面形状は矩形状である。
突出枠部３１２は、前枠部３１１の外縁部分から後側へ突出している。
ここで、前キャビネット３１の製造について説明する。まず、前枠部３１１、突出枠部３１２、遮光凸部３４，３４，…となすべき凸条部、及び位置決め溝３５が、押出成形によって、一体に形成される。次いで、形成された凸条部を部分的に切削し、複数個に分割することによって、遮光凸部３４，３４，…が形成される。この結果、前キャビネット３１が製造される。
【００４５】
次に、図２と図３と図６とを参照しつつ、パネルユニットの構成を説明する。ここでは、表示パネル２１と、各後述する光学シート群２２、ＳＯＦ２７，２７，…、及びプリント基板２８，２８，…とのひとまとまりをパネルユニットという。
各プリント基板２８は、横長の矩形板状になしてある。
【００４６】
表示パネル２１は、後述するエッジライト方式のバックライトによって、表示パネル２１の背面２１２側から照明される。表示パネル２１は表示面２１１側のガラス板と背面２１２側のガラス板とを有する。２枚のガラス板の間には液晶が配されており、液晶に印加された電圧に応じて、表示パネル２１の透過率が変化する。従って、バックライトからの光は、表示パネル２１を透過するか、又は、表示パネル２１の通過を遮断される。この結果、表示面２１１に映像が表示される。
【００４７】
バックライトは、光学シート群２２、導光板２３、反射シート２４、ＬＥＤ２５，２５，…、及びＬＥＤ基板２６を用いて構成される。これらの内、光学シート群２２については次に説明し、これ以外については更に後で述べる。
【００４８】
光学シート群２２は、表示パネル２１の背面２１２の中央部に密着配置されている。光学シート群２２の縦横の寸法は、表示パネル２１の背面２１２の縦横の寸法よりも小さい。このため、光学シート群２２は、表示パネル２１の周縁部を被覆していない。ただし、光学シート群２２の縦横の寸法は、表示パネル２１の有効表示領域の縦横の寸法より大きい。つまり、光学シート群２２は、表示パネル２１の有効表示領域を、背面２１２側から覆っている。
光学シート群２２は、光の拡散機能を有する光学シート及び集光機能を有する光学シート等、複数枚の光学シートが積層されてなる。
なお、光学シート群２２に替えて、光の拡散機能及び集光機能等、複数種類の機能を有する１枚の光学シートが表示パネル２１に密着配置されていてもよい。
【００４９】
複数枚のＳＯＦ２７，２７，…は、表示パネル２１の周縁下辺部２１ａの周縁方向（具体的には左右方向）に沿って並置されている。各ＳＯＦ２７は、ドライバＬＳＩ２７１と、その背面に、ドライバＬＳＩ２７１が実装されているフレキシブル基板２７２とを備えている。
各フレキシブル基板２７２は、表示パネル２１の周縁下辺部２１ａから垂下している。また、フレキシブル基板２７２に形成されている配線（不図示）は、フレキシブル基板２７２の上端部側で、表示パネル２１に電気的に接続されている。
【００５０】
フレキシブル基板２７２の下端部は後側へ折り曲げられており、フレキシブル基板２７２に形成されている配線は、フレキシブル基板２７２の下端部側で、複数枚のプリント基板２８，２８，…の内、何れかひとつのプリント基板２８に接続されている。
ドライバＬＳＩ２７１は、表示パネル２１の駆動回路である。具体的には、ドライバＬＳＩ２７１は、信号処理部１２が出力した映像データに基づいて、適宜の電圧を表示パネル２１の液晶に印加する。この結果、表示パネル２１の透過率が変化する。作動中のドライバＬＳＩ２７１は発熱する。
ドライバＬＳＩ２７１及びフレキシブル基板２７２は、本発明の実施の形態における駆動回路及び回路基板として機能する。
【００５１】
フレキシブル基板２７２の背面には、両面粘着シート４５，４５が接着してある（図７及び図８参照）。両面粘着シート４５，４５は、ドライバＬＳＩ２７１から適長離隔してドライバＬＳＩ２７１の左右両側に配されている。図７及び図８には、両面粘着シート４５，４５の配置位置が二点鎖線で示されている。
各両面粘着シート４５は、フレキシブル基板２７２のそれよりも高い熱伝導性を有する。
両面粘着シート４５の厚みは、ドライバＬＳＩ２７１のフレキシブル基板２７２からの突出長さよりも大きい。しかしながら、両面粘着シート４５の厚みは、例えば表示パネル２１及び導光板２３等よりは十分に薄いため、表示装置１０の薄型化を阻害することはない。
【００５２】
パネルユニットは、表示パネル２１の表示面２１１の周縁部が弾性部材３３に接触するようにして、前キャビネット３１に後方から取り付けられる。
このとき、表示パネル２１の周縁下辺部２１ａの周縁方向は、前枠部３１１の周縁下辺部の周縁方向に沿い、これらは共に左右方向である。また、このとき、ＳＯＦ２７，２７，…は、遮光凸部３４，３４，…間に配される。即ち、ＳＯＦ２７と遮光凸部３４とが左右方向に交互に配される。各プリント基板２８は、その下面が突出枠部３１２の上面（即ち内面）側に向くようにして、左右方向に沿う横姿勢に配される。このとき、複数枚のプリント基板２８，２８，…は左右方向に並置される。
【００５３】
次に、図２、図３、及び図７〜図１０を参照しつつ、遮光シート４１の構成を説明する。
遮光シート４１は、横長の矩形シート状になしてあり、ＳＯＦ２７のフレキシブル基板２７２のそれよりも高い熱伝導性を有する。各フレキシブル基板２７２、延いては各ＳＯＦ２７は、両面粘着シート４５，４５を介して、遮光シート４１に接着される。
遮光シート４１は、例えばＰＧＳ（登録商標）グラファイトシートを所要の形状に切り出すことによって得られる。
遮光シート４１の色は黒であるが、光を透過させ難い色であれば、黒に限定されない。
【００５４】
遮光シート４１は、表示パネル２１の背面２１２の周縁下辺部２１ａと、周縁下辺部２１ａからＬＥＤ基板２６の前側端部までの空間Ｓと、ＬＥＤ基板２６の前側端面とを覆う。周縁下辺部２１ａは、本発明の実施の形態における光源の側の周縁部として機能する。
ここで、表示パネル２１の背面２１２の周縁下辺部２１ａとは、背面２１２におけるＬＥＤ２５，２５，…側の周縁部である。周縁下辺部２１ａの周縁方向は、左右方向に沿う。つまり、遮光凸部３４，３４，…は、周縁下辺部２１ａの周縁方向に沿って並設されている。
【００５５】
遮光シート４１は、表示パネル２１の背面２１２の周縁下辺部２１ａの内、背面２１２が露出している部分（即ち光学シート群２２に覆われていない部分）を可及的に広く覆うことが望ましい。従って、遮光シート４１の上端部は、光学シート群２２の下端部に可及的に接近配置されることが望ましい。
遮光シート４１には、各矩形状の複数個の挿入孔４１１，４１１，…が、遮光シート４１の長手方向に並設されている。挿入孔４１１，４１１，…の開口位置は、前キャビネット３１の遮光凸部３４，３４，…の突設位置に対応する。
【００５６】
遮光シート４１は、縦姿勢で前キャビネット３１に後方から取り付けられる。
更に詳細には、まず、遮光シート４１の取り付け前に、各ＳＯＦ２７の背面に両面粘着シート４５，４５の一面が貼り付けられる。
次に、遮光シート４１の挿入孔４１１，４１１，…に遮光凸部３４，３４，…が挿入される。この結果、遮光シート４１は、遮光凸部３４，３４，…に支持される。このとき、遮光シート４１の前面の上端部は、表示パネル２１の背面２１２の周縁下辺部２１ａに接触する。
【００５７】
更に、遮光シート４１の前面が各両面粘着シート４５の他面に貼り付けられる。この結果、遮光シート４１とＳＯＦ２７，２７，…とが、両面粘着シート４５，４５，４５，…を介して接着される。このとき、各ＳＯＦ２７に配されている両面粘着シート４５，４５は、何れも挿入孔４１１，４１１間に位置する。
また、ドライバＬＳＩ２７１が遮光シート４１に接触することは抑制される。何故ならば、ドライバＬＳＩ２７１よりも分厚い両面粘着シート４５，４５が、遮光シート４１とフレキシブル基板２７２との間のスペーサとして機能するからである。
【００５８】
ここで、各挿入孔４１１の縦横の寸法は、対応する遮光凸部３４の縦横の寸法よりも僅かに長い。仮に、挿入孔４１１の縦横の寸法が挿入孔４１１の縦横の寸法以下である場合、遮光凸部３４を挿入孔４１１に挿入することができなかったり、遮光凸部３４を挿入孔４１１に無理矢理挿入することによって、遮光シート４１に歪み又は損傷等が生じたりする虞がある。逆に、挿入孔４１１の縦横の寸法が挿入孔４１１の縦横よりも過剰に長い場合には、挿入孔４１１を通して、後述するような光漏れが生じる虞がある。
【００５９】
本実施の形態では、各ＳＯＦ２７に両面粘着シート４５，４５を固定してから両面粘着シート４５，４５に遮光シート４１を固定する手順である。無論、先に遮光シート４１に全ての両面粘着シート４５，４５，…を貼り付けてから、両面粘着シート４５，４５，…を介して遮光シート４１をＳＯＦ２７，２７，…に接着する手順とすることも不可能ではない。しかしながら、後者の手順では、遮光シート４１において各両面粘着シート４５の位置決めが困難であり、何らかの不具合で位置ズレが生じたときに両面粘着シート４５の配置位置がドライバＬＳＩ２７１の実装位置に重なるという問題が生じかねない。
【００６０】
次に、図２、図３、図１１、及び図１２を参照しつつ、ＬＥＤユニットの構成を説明する。ここでは、ＬＥＤ２５，２５，…、ＬＥＤ基板２６、ヒートシンク４２、及び絶縁シート４３のひとまとまりをＬＥＤユニットという。
ＬＥＤ基板２６は、非透光性を有し、横長の矩形板状になしてある。ＬＥＤ基板２６の一面には、ＬＥＤ基板２６の長手方向に並置された複数個のＬＥＤ２５，２５，…が実装されている。発光しているＬＥＤ２５は発熱する。
ＬＥＤ２５，２５，…が発した熱は、一旦ＬＥＤ基板２６へ伝導する。
【００６１】
ＬＥＤ２５，２５，…及びＬＥＤ基板２６は、本発明の実施の形態における光源及び光源基板として機能する。
なお、ＬＥＤ２５，２５，…に替えて、電球、熱陰極蛍光灯、ＥＬ（Electro Luminescence）、又は冷陰極管等が備えられていてもよい。
絶縁シート４３は、横長の矩形シート状になしてあり、ポリカーボネートを用いてなる。
【００６２】
ヒートシンク４２は金属製であり、横長の棒状、且つ縦断面形状が倒立Ｌ字状になしてある。ヒートシンク４２の一側は、横姿勢に配された矩形板状の基板載置部４２１であり、ヒートシンク４２の他側は、縦姿勢に配された矩形板状の筐体取付部４２２である。なお、ヒートシンク４２は合成樹脂製でもよい。
ヒートシンク４２は、本発明の実施の形態における放熱部材として機能する。
基板載置部４２１には、ＬＥＤ基板２６が固定的に載置されている。このとき、基板載置部４２１の外面とＬＥＤ基板２６の他面（即ちＬＥＤ２５，２５，…が実装されていない面）とが接触しており、更に、基板載置部４２１及びＬＥＤ基板２６夫々の長手方向が互いに沿う。
【００６３】
基板載置部４２１の内面には、絶縁シート４３が、両面粘着テープ又は接着剤等を用いてなる接着層を介して、接着されている。このとき、基板載置部４２１及び絶縁シート４３夫々の長手方向が互いに沿う。
基板載置部４２１の前端部には、ヒートシンク４２の長手方向に並置された複数個の位置決め凸部４２３，４２３，…が突設されている。各位置決め凸部４２３の基板載置部４２１の前端部からの突出長さは、位置決め溝３５の深さ（即ち前後方向の長さ）よりも適宜に長い。また、各位置決め凸部４２３の厚み（即ち上下方向の長さ）は、位置決め溝３５の開口幅（即ち上下方向の長さ）よりも僅かに短い。
【００６４】
ＬＥＤユニットは、基板載置部４２１の外面、即ちＬＥＤ基板２６が載置されている面を上側に向け、基板載置部４２１の内面、即ち絶縁シート４３が接着されている面を下側に向け、更に、位置決め凸部４２３，４２３，…を前側に向けて、前キャビネット３１に後方から取り付けられる。
このとき、位置決め凸部４２３，４２３，…は、ＳＯＦ２７，２７，…間に配される。即ち、位置決め凸部４２３とＳＯＦ２７とが左右方向に交互に配される。この結果、各位置決め凸部４２３の左右方向の配置と各遮光凸部３４の左右方向の配置とは同一になる。
【００６５】
また、このとき、ヒートシンク４２の位置決め凸部４２３，４２３，…は、各位置決め凸部４２３の先端部が、前枠部３１１の位置決め溝３５の最奥部に当接するよう、位置決め溝３５へ挿入される。この結果、ヒートシンク４２は、上下方向及び前後方向に容易に位置決めされる。
【００６６】
ヒートシンク４２が正確に位置決めされた場合、ＬＥＤ２５，２５，…は、後述する導光板２３の下端面２３ｂに正確に対向配置される。また、ＬＥＤ基板２６の前側端面は、遮光シート４１の後面の下端部に接触する。更に、絶縁シート４３は、ヒートシンク４２とプリント基板２８，２８，…との間に介在する。
【００６７】
仮に、絶縁シート４３が存在しない場合、例えば表示装置１０に外力が加えられてプリント基板２８が振動し、ヒートシンク４２と接触することによって、短絡が生じる虞がある。しかしながら、絶縁シート４３がプリント基板２８とヒートシンク４２とを電気的に絶縁するため、短絡の発生が抑制される。
位置決めされたヒートシンク４２は、後述するように前キャビネット３１にビス留めされる。
本実施の形態では、表示装置１０が１枚の遮光シート４１を備える構成を説明している。しかしながら、表示装置１０は、例えば図１２に示すように、左右方向に並置された複数枚の遮光シート４１，４１，…を備える構成でもよい。
【００６８】
次に、図２及び図３を参照しつつ、バックライトの構成を説明する。
導光板２３は、矩形板状になしてあり、例えばアクリル樹脂を用いてなる。導光板２３の縦横の寸法は、表示パネル２１の縦横の寸法よりも大きい。
導光板２３は、導光板２３の少なくとも下端面２３ｂから導光板２３の内部に入射した光を、導光板２３の正面２３ａ及び背面から均一に出射する（即ち面発光する）。
下端面２３ｂは、本発明の実施の形態における一側端面として機能する。
【００６９】
反射シート２４は、導光板２３の背面に密着配置されている。反射シート２４の縦横の寸法は、導光板２３の縦横の寸法よりも大きい。このため、導光板２３の背面から出射した光は、確実に反射シート２４で反射し、再び導光板２３の内部に入射する。
【００７０】
ＬＥＤ２５，２５，…から放射された光は、直接的に、又は、反射シート２４及び遮光凸部３４等で反射することによって、導光板２３の下端面２３ｂから導光板２３の内部に入射する。導光板２３の内部に入射した光は、導光板２３の正面２３ａから出射する。正面２３ａから出射した光は、光学シート群２２による拡散及び集光等を経て、表示パネル２１の背面２１２から表示パネル２１の内部に入射する。この結果、表示パネル２１の表示面２１１が、均一に明るくなる。
【００７１】
バックライトシャーシ３６は、支持部３６１と取付部３６２とを有する。支持部３６１は矩形板状になしてある。支持部３６１には、支持部３６１の一面と反射シート２４の背面とを密着させて、導光板２３及び反射シート２４が取り付けられる。
【００７２】
バックライトシャーシ３６は、導光板２３の正面２３ａの中央部が光学シート群２２の背面に密着し、導光板２３の正面２３ａの周縁下辺部が遮光凸部３４，３４，…の先端面に密着するように、導光板２３及び反射シート２４を縦姿勢に保持した状態で、前キャビネット３１に後方から取り付けられる。このとき、バックライトシャーシ３６の取付部３６２は、ヒートシンク４２の筐体取付部４２２と共に、ビスＢ，Ｂ，…を用いて前キャビネット３１に共締めされる。以上の結果、導光板２３及び反射シート２４は、遮光凸部３４，３４，…とバックライトシャーシ３６とに挟持される。
バックライトシャーシ３６の背後は、後キャビネット３２によって覆われる。
【００７３】
遮光凸部３４，３４，…は、前キャビネット３１の前枠部３１１の内面から空間Ｓを貫いて導光板２３の正面２３ａの周縁下辺部まで突出する。
次に、遮光シート４１の作用効果を説明する。
図１３及び図１４は、遮光シート４１の作用効果を説明するための凸部突設位置及び凸部非突設位置の縦断面図である。図１３及び図１４は図２及び図３に対応し、図１３及び図１４に示す表示装置１０の構成は、遮光シート４１を備えていない点を除けば、図２及び図３に示す表示装置１０の構成と同一である。
まず、遮光シート４１による光漏れの抑制について説明する。
【００７４】
遮光シート４１の有無に拘らず、図２及び図１３に示すように、各遮光凸部３４の突設位置には、ＬＥＤ２５，２５，…側から表示パネル２１側へ光が通過し得る漏光空間が存在しない。何故ならば、遮光凸部３４，３４，…は、前キャビネット３１の前枠部３１１の内面から空間Ｓを貫いて導光板２３の正面２３ａの周縁下辺部まで突出することによって、前枠部３１１の内面から正面２３ａの周縁下辺部までの範囲を閉鎖しているからである。故に、ＬＥＤ２５，２５，…から放射された光は、直接的に、又は、反射シート２４及び遮光凸部３４等で反射することによって、導光板２３の下端面２３ｂから導光板２３の内部に入射する。このため、光漏れは生じない。
【００７５】
ところが、図１４に示すように、表示装置１０が遮光シート４１を備えていない場合、各遮光凸部３４の非突設位置には、漏光空間が存在する。故に、ＬＥＤ２５，２５，…から放射された光の内、導光板２３の内部に入射しなかった光が、ＳＯＦ２７の背面及び導光板２３の正面２３ａ等で反射することによって、表示パネル２１の背面２１２の周縁下辺部２１ａ、即ち背面２１２の光学シート群２２に覆われていない部分から表示パネル２１の内部に入射する。この結果、表示面２１１の下部における遮光凸部３４，３４，…の非突設位置に対応する部分が、この部分だけサーチライトで別途照明されたかように、他の部分よりも無用に明るくなる。この結果、表示面２１１に表示される映像の画質が劣化する。
【００７６】
一方、図３に示すように、表示装置１０が遮光シート４１を備えている場合、各遮光凸部３４の突設位置にも、漏光空間は存在しない。何故ならば、遮光シート４１が、表示パネル２１の周縁下辺部２１ａからＬＥＤ基板２６の前側端部までの空間Ｓを覆っているからである。故に、ＬＥＤ２５，２５，…から放射された光の内、導光板２３の内部に入射しなかった光は、遮光シート４１に遮蔽されるため、表示パネル２１の内部には入射しない。
たとえ、遮光シート４１が空間Ｓを覆っていなかったとしても、遮光シート４１は、表示パネル２１の背面２１２の周縁下辺部２１ａを覆っているため、背面２１２の光学シート群２２に覆われていない部分から表示パネル２１の内部に、無用な光が入射する虞はない。
【００７７】
次に、遮光シート４１による放熱について説明する。ここでは、表示装置１０の内部の空気への熱伝導は無視する。
遮光シート４１の有無に拘らず、ドライバＬＳＩ２７１が発した熱は、一旦フレキシブル基板２７２へ伝導する。
【００７８】
図１３及び図１４に示す表示装置１０においては、各ドライバＬＳＩ２７１からフレキシブル基板２７２に伝導した熱は、フレキシブル基板２７２に沿って拡散しようとする。しかしながら、フレキシブル基板２７２は熱伝導性が低いため、放熱効率が低い。このため、ドライバＬＳＩ２７１自身が発した熱でドライバＬＳＩ２７１が過熱又は熱暴走等する虞がある。ドライバＬＳＩ２７１の過熱又は熱暴走等は、ドライバＬＳＩ２７１、フレキシブル基板２７２、又はドライバＬＳＩ２７１の他の電子部品等の動作不良又は破損等を招きかねない。
【００７９】
一方、図２及び図３に示す表示装置１０においては、各ドライバＬＳＩ２７１からフレキシブル基板２７２に伝導した熱は、両面粘着シート４５，４５を介して、遮光シート４１へ伝導する。何故ならば、遮光シート４１及び両面粘着シート４５，４５夫々の熱伝導性がフレキシブル基板２７２の熱伝導性よりも高いからである。
遮光シート４１に伝導した熱は、遮光シート４１に沿って拡散し、表示パネル２１又はＬＥＤ基板２６へ伝導する。
表示パネル２１に伝導した熱は、表示面２１１から表示装置１０の外部へ放出される。
【００８０】
ドライバＬＳＩ２７１の発熱中は、テレビ受像機１の使用中である。テレビ受像機１の使用中に、ユーザが表示面２１１に触れる可能性は低い。従って、表示パネル２１が放熱用途に用いられても特段の問題はない。また、伝導した熱が表示パネル２１を構成している液晶の応答性を向上させる可能性がある。
【００８１】
ＬＥＤ２５，２５，…及びドライバＬＳＩ２７１，２７１，…が発し、ＬＥＤ基板２６に伝導した熱は、ヒートシンク４２を介して、テレビ受像機１の外部へ放出される。
以上の結果、ＬＥＤ２５自身又はドライバＬＳＩ２７１自身が発した熱で、ＬＥＤ２５又はドライバＬＳＩ２７１が過熱したり熱暴走したりすることが抑制される。従って、ドライバＬＳＩ２７１（又はＬＥＤ２５）の過熱又は熱暴走等に起因するドライバＬＳＩ２７１、ＬＥＤ２５又は他の電子部品等の動作不良又は破損等を招く虞はない。
【００８２】
以上のような表示装置１０においては、光漏れが抑制されるため、表示面２１１に表示される映像の画質が向上する。しかも、遮光シート４１を他部材（例えば表示パネル２１）に接着する必要がないため、両面粘着テープ又は接着剤等を用いてなる接着層が不要である分、遮光シート４１は薄型である。
しかも、遮光シート４１を利用して、各ドライバＬＳＩ２７１が発する熱を効率よく外部へ放出することができる。このため、ドライバＬＳＩ２７１の放熱を目的として遮光シート４１以外の新たな放熱部材を追加する必要がない。
【００８３】
なお、遮光シート４１が空間Ｓを覆わない構成の場合、遮光シート４１を表示パネル２１の背面２１２の周縁下辺部２１ａに接着する必要があり、遮光シート４１を接着する際には遮光シート４１の位置決めが必要である。また、表示パネル２１の下端面を介した光漏れは生じ難いが、念のために、表示パネル２１の下端面を別途遮光シートで覆うことが望ましい。更に、遮光シート４１と各ＳＯＦ２７とを何らかの手段で熱的に接触させる必要がある。
【００８４】
更にまた、遮光シート４１は、前キャビネット３１の周縁上辺部近傍にも備えられていてもよい。何故ならば、前キャビネット３１の周縁上辺部近傍にもＬＥＤ２５，２５，…及びＬＥＤ基板２６が配されている場合があるからである。このとき、遮光シート４１は、表示パネル２１の背面２１２の周縁上辺部を覆うが、周縁上辺部から周縁上辺部近傍のＬＥＤ基板２６の前側端部までの空間も覆うことが望ましい。また、前キャビネット３１の前枠部３１１の周縁上辺部の内面にも遮光凸部３４，３４，…が突設され、遮光シート４１が遮光凸部３４，３４，…に支持されることが望ましい。
【００８５】
更にまた、遮光シート４１は、前キャビネット３１の周縁左辺部近傍及び周縁右辺部近傍夫々にも備えられていてもよい。何故ならば、たとえ前キャビネット３１の周縁左辺部及び右辺部近傍にＬＥＤ２５，２５，…及びＬＥＤ基板２６が配されていない場合であっても、例えば導光板２３の下端面２３ｂ以外の端面から出射した光が前キャビネット３１の内部で反射することによって光漏れが生じ得るからである。このとき、遮光シート４１，４１は、表示パネル２１の背面２１２の周縁左辺部及び周縁右辺部を覆えばよい。ただし、この場合でも、前キャビネット３１の前枠部３１１の周縁上辺部及び右辺部夫々の内面にも遮光凸部３４，３４，…が突設され、各遮光シート４１が遮光凸部３４，３４，…に支持されることが望ましい。
【００８６】
以上のような遮光シート４１は、全て、表示パネル２１の周縁部に取り付けられている各ＳＯＦ２７に、両面粘着シート４５，４５を介して接着されていることが望ましい。
【００８７】
本実施の形態では、遮光シート４１は、表示パネル２１の背面２１２の周縁下辺部２１ａ及びＬＥＤ基板２６の前側端面の両方に接触しているが、これに限定されるものではない。例えば、遮光シート４１は、表示パネル２１及びＬＥＤ基板２６の内、一方に接触する構成でもよい。この場合、表示パネル２１及びＬＥＤ基板２６の内の他方と遮光シート４１との間から光漏れが生じることを抑制すべく、表示パネル２１及びＬＥＤ基板２６の内の他方と遮光シート４１との間に断熱部材を介在させることが望ましい。
【００８８】
また、遮光シート４１と表示パネル２１及び／又はＬＥＤ基板２６との間に、熱伝導性を有する両面粘着シートが介在していてもよい。この場合、遮光シート４１の位置ズレ又は浮き等によって、遮光シート４１が表示パネル２１及び／又はＬＥＤ基板２６から離隔するという不都合が抑制される。
更に、遮光シート４１の下端を延設し、遮光シート４１の下端部が、ヒートシンク４２の基板載置部４２１の前端面（ただし位置決め凸部４２３，４２３，…の突設位置は除く）も覆うようにしてもよい。この場合、例えばヒートシンク４２の基板載置部４２１の前端部の角部がＳＯＦ２７に直接的に擦過又は衝突する虞がないため、ＳＯＦ２７が保護される。
【００８９】
実施の形態  ２．
図１５は、本発明の実施の形態２に係る表示装置１０が備える前キャビネット３１に対する遮光シート４１の取り付けを説明するための拡大背面図である。
図１６は、前キャビネット３１に遮光シート４１を取り付けた状態を示す拡大背面図である。
図１５及び図１６は、実施の形態１の図７及び図９に対応する。
【００９０】
本実施の形態の表示装置１０及びテレビ受像機１と実施の形態１の表示装置１０及びテレビ受像機１との差異は、遮光シート４１の形状である。実施の形態１の遮光シート４１には挿入孔４１１，４１１，…が設けられているが、本実施の形態の遮光シート４１には挿入孔４１１，４１１，…に替えて掛止部４１４，４１４，…が設けられている。その他、実施の形態１に対応する部分には同一符号を付してそれらの説明を省略する。
掛止部４１４，４１４，…が設けられた遮光シート４１は、遮光シート４１の長手方向に並設された複数個の矩形状の切り欠きが遮光シート４１の下端部に形成されたような形状である。掛止部４１４，４１４，…の形成位置は、前キャビネット３１の遮光凸部３４，３４，…の突設位置に対応する。
【００９１】
遮光シート４１は、縦姿勢で前キャビネット３１に後方から取り付けられる。
更に詳細には、まず、遮光シート４１の取り付け前に、各ＳＯＦ２７の背面に両面粘着シート４５，４５の一面が貼り付けられる。
次に、前キャビネット３１の遮光凸部３４，３４，…に遮光シート４１の掛止部４１４，４１４，…が上方から掛止される。この結果、遮光シート４１は、遮光凸部３４，３４，…に支持される。このとき、遮光シート４１の前面の上端部は、表示パネル２１の背面２１２の周縁下辺部２１ａに接触する。
【００９２】
更に、遮光シート４１の前面が各両面粘着シート４５の他面に貼り付けられる。この結果、遮光シート４１とＳＯＦ２７，２７，…とが、両面粘着シート４５，４５，４５，…を介して接着される。このとき、各ＳＯＦ２７に配されている両面粘着シート４５，４５は、何れも掛止部４１４，４１４間に位置する。
この後、ＬＥＤユニットが前キャビネット３１に取り付けられることによって、ＬＥＤ基板２６の前側端面が、遮光シート４１の後面の下端部に接触する。
【００９３】
以上のような遮光シート４１による光漏れの抑制は、実施の形態１の遮光シート４１による光漏れの抑制と同様である。何故ならば、掛止部４１４，４１４，…の形成位置には遮光凸部３４，３４，…が存在するため、掛止部４１４，４１４，…が漏光空間となる虞がないからである。
また、以上のような遮光シート４１による放熱は、実施の形態１の遮光シート４１による放熱と同様である。
【００９４】
実施の形態１の遮光シート４１は、例えば、遮光シート４１となすべき矩形帯状の部材から挿入孔４１１，４１１，…を切り抜いて製造されるため、切り抜かれた部分が無駄になる虞がある。
一方、本実施の形態の遮光シート４１は、２本の遮光シート４１，４１となすべき矩形帯状の部材を２分割して製造されるため、切り抜かれて無駄になる部分がない。
【００９５】
実施の形態  ３．
図１７は、本発明の実施の形態３に係る表示装置１０の構成を模式的に示す縦断面図である。
図１８は、表示装置１０が備える前キャビネット３１に対する遮光シート４１の取り付けを説明するための拡大背面図である。
図１７及び図１８は、実施の形態１の図３及び図７に対応する。
【００９６】
本実施の形態の各ＳＯＦ２７の背面には、実施の形態１の両面粘着シート４５，４５に替えて、両面粘着シート４６が接着してある。また、本実施の形態の各ドライバＬＳＩ２７１は、フレキシブル基板２７２の正面に実装されている。その他、実施の形態１に対応する部分には同一符号を付してそれらの説明を省略する。
【００９７】
実施の形態１の両面粘着シート４５，４５は、ドライバＬＳＩ２７１から適長離隔してドライバＬＳＩ２７１の左右両側に配されている。何故ならば、ドライバＬＳＩ２７１及び両面粘着シート４５，４５が共にＳＯＦ２７の背面に配されているからである。
【００９８】
一方、本実施の形態では、フレキシブル基板２７２の背面の、ドライバＬＳＩ２７１の実装位置に対応する位置に、両面粘着シート４６が接着してある。つまり、フレキシブル基板２７２と遮光シート４１とは、ドライバＬＳＩ２７１の実装位置の真裏の位置で接触している。また、両面粘着シート４６の面積は、実施の形態１の２枚の両面粘着シート４５，４５の面積の合計よりも大きい。以上の結果、ドライバＬＳＩ２７１から遮光シート４１への熱伝導が効率よく行なわれる。
【００９９】
両面粘着シート４６の厚みは、各両面粘着シート４５の厚みよりも薄くてもよい。何故ならば、両面粘着シート４６が、遮光シート４１とフレキシブル基板２７２との間のスペーサとなる必要がないからである。
フレキシブル基板２７２の正面及び背面は、本発明の実施の形態におけるフレキシブル基板の一面及び他面として機能する。
【０１００】
実施の形態  ４．
図１９は、本発明の実施の形態４に係る表示装置１０の構成を模式的に示す縦断面図である。図１９は、実施の形態１の図３に対応する。
本実施の形態の各ＳＯＦ２７と遮光シート４１とは、両面粘着シートを介さず接触している。また、本実施の形態の各ドライバＬＳＩ２７１は、フレキシブル基板２７２の正面に実装されている。その他、実施の形態１に対応する部分には同一符号を付してそれらの説明を省略する。
【０１０１】
前枠部３１１の内面の上下方向中央部分には、遮光凸部３４，３４，…及び位置決め溝３５の他に、左右方向に並設された複数個の押付部３７，３７，…が備えられている。押付部３７，３７，…の左右方向の配置位置は、ＳＯＦ２７，２７，…の左右方向の配置位置に対応している。各押付部３７は、前枠部３１１の内面から後方向へ突出している。
前キャビネット３１にパネルユニットを取り付けると、押付部３７によってフレキシブル基板２７２が後方へ押し出される。次いで、前キャビネット３１に遮光シート４１を取り付ければ、フレキシブル基板２７２が、押付部３７によって遮光シート４１に正面側から押し付けられる。この結果、遮光シート４１と各フレキシブル基板２７２とが直接的に接触する。
【０１０２】
押付部３７によるフレキシブル基板２７２の遮光シート４１への押し付けは、前キャビネット３１にパネルユニット及び遮光シート４１を順に取り付けることによって自動的に生じる現象であるため、例えば作業者が手作業で遮光シート４１と各フレキシブル基板２７２とを接触させる必要がない。
押付部３７がフレキシブル基板２７２に当接する位置は、ドライバＬＳＩ２７１の実装位置に可及的に接近していることが望ましい。
なお、押付部３７によってフレキシブル基板２７２を遮光シート４１へ押し付けると共に、遮光シート４１と各フレキシブル基板２７２とを実施の形態１の両面粘着シート４５，４５を介して接着する場合には、遮光シート４１と各フレキシブル基板２７２との接触を更に確実にすることができる。
【０１０３】
実施の形態  ５．
本実施の形態における表示装置１０及びテレビ受像機１の構成は、前キャビネット３１に遮光凸部３４，３４，…が備えられていないこと、並びに、遮光シート４１及び絶縁シート４３に替えて、後述するシート部材４４が備えられていることを除けば、実施の形態１における表示装置１０及びテレビ受像機１の構成と同一である。以下では、実施の形態１との差異について説明し、その他、実施の形態１に対応する部分には同一符号を付してそれらの説明を省略する。
【０１０４】
図２０及び図２１は、本発明の実施の形態５に係る表示装置１０の構成を模式的に示す縦断面図である。ただし、図２０は、位置決め凸部４２３が突設されている位置（即ち凸部突設位置）における断面を示し、図２１は、位置決め凸部４２３が突設されていない位置（即ち凸部非突設位置）における断面を示している。図２０及び図２１は、実施の形態１の図２及び図３に対応する。図２０及び図２１に示す矢符は、光の方向を表わしている。
図２２及び図２３は、前キャビネット３１の一部分の構成を示す拡大背面図及び拡大斜視図である。図２２及び図２３は、実施の形態１の図４及び図５に対応する。
【０１０５】
図２０〜図２３に示すように、前キャビネット３１には、実施の形態１の遮光凸部３４，３４，…のようなものは備えられていない。
図２４及び図２５は、前キャビネット３１にパネルユニットを取り付けた状態を示す拡大背面図及び拡大斜視図である。図２４及び図２５には、図２２及び図２３に示す前キャビネット３１にパネルユニットが取り付けられた状態が示されている。図２５は、実施の形態１の図６に対応する。
図２０と図２１と図２４と図２５とに示すように、パネルユニットの構成、及び前キャビネット３１に対するパネルユニットの取り付けは、実施の形態１のそれらと同様である。
【０１０６】
図２６は、ヒートシンク４２に対するシート部材４４の取り付けを説明するための拡大斜視図である。
図２７は、図２６に示すヒートシンク４２にシート部材４４を取り付けた状態を示す拡大斜視図である。
図２０と図２１と図２６と図２７とに示すように、ＬＥＤ２５，２５，…、ＬＥＤ基板２６、及びヒートシンク４２夫々の構成は、実施の形態１のこれらの構成と同様である。ここで、実施の形態５では、ＬＥＤ２５，２５，…、ＬＥＤ基板２６、ヒートシンク４２、及びシート部材４４のひとまとまりをＬＥＤ遮光ユニットという。即ち、図２７には、ＬＥＤ遮光ユニットが示されている。
【０１０７】
シート部材４４は、縦断面形状がＬ字状になしてあり、Ｌ字の一側が絶縁シート４４１、他側が遮光シート４４２である。換言すれば、シート部材４４は、一体形成された絶縁シート４４１及び遮光シート４４２を用いてなる。シート部材４４は、実施の形態１の絶縁シート４３と同様の絶縁性と、実施の形態１の遮光シート４１と同様の遮光性及び熱伝導性を有する。
なお、シート部材４４は、別体の絶縁シート４４１と遮光シート４４２とを接合してなる構成でもよい。この場合、絶縁シート４４１は、少なくとも実施の形態１の絶縁シート４３と同様の絶縁性を有していればよく、遮光シート４４２は、実施の形態１の遮光シート４１と同様の遮光性及び熱伝導性を有していればよい。
【０１０８】
絶縁シート４４１の構成、及び作用効果は、前側の長辺部から遮光シート４４２が起ち上がっていることを除けば、実施の形態１の絶縁シート４３の構成、及び作用効果と同様である。
遮光シート４４２は、実施の形態１の遮光シート４１の下部が下方へ延設されて絶縁シート４４１と一体化したような形状である。また、挿入孔４１１，４１１，…に替えて、挿通孔４４３，４４３，…が、遮光シート４１の長手方向に並設されている。
【０１０９】
挿通孔４４３，４４３，…の開口位置及び開口寸法は、ヒートシンク４２の位置決め凸部４２３，４２３，…の突設位置及び縦横の寸法に対応する。
遮光シート４４２は、表示パネル２１の背面２１２の周縁下辺部２１ａと、周縁下辺部２１ａからＬＥＤ基板２６の前側端部までの空間Ｓと、ＬＥＤ基板２６の前側端面と、ヒートシンク４２の基板載置部４２１の前端面（ただし位置決め凸部４２３，４２３，…の突設位置は除く）とを覆う。このとき、遮光シート４４２は、表示パネル２１の背面２１２の周縁下辺部２１ａと、ＬＥＤ基板２６の前側端面と、ヒートシンク４２の基板載置部４２１の前端面とに接触する。
【０１１０】
シート部材４４は、遮光シート４４２の挿通孔４４３，４４３，…に位置決め凸部４２３，４２３，…を挿通させた状態で、絶縁シート４４１の上面を基板載置部４２１の下面に接着することによって、ヒートシンク４２に取り付けられる。
【０１１１】
図２８は、前キャビネット３１に対するＬＥＤ遮光ユニットの取り付けを説明するための拡大斜視図である。図２８には、図２５に示す前キャビネット３１に、図２７に示すＬＥＤ遮光ユニットが取り付けられる状態が示されている。
図２９及び図３０は、前キャビネット３１にＬＥＤ遮光ユニットを取り付けた状態を示す拡大背面図及び拡大斜視図である。図２９には、図２４に示す前キャビネット３１に、ＬＥＤ遮光ユニットが取り付けられた状態が示されている。図３０には、図２５に示す前キャビネット３１に、図２７に示すＬＥＤ遮光ユニットが取り付けられた状態が示されている。
【０１１２】
ＬＥＤ遮光ユニットは、実施の形態１のＬＥＤユニットと略同様に、前キャビネット３１に後方から取り付けられる。
更に詳細には、まず、ＬＥＤユニットの取り付け前に、各ＳＯＦ２７の背面に両面粘着シート４５，４５の一面が貼り付けられる。
次に、ＬＥＤユニットが前キャビネット３１に取り付けられる。このとき、遮光シート４４２の前面の上端部が、表示パネル２１の背面２１２の周縁下辺部２１ａに接触する。また、遮光シート４４２の前面が各両面粘着シート４５の他面に貼り付けられる。この結果、遮光シート４４２とＳＯＦ２７，２７，…とが、両面粘着シート４５，４５，４５，…を介して接着される。
【０１１３】
以上のような構成においても、両面粘着シート４５，４５は、遮光シート４４２と各フレキシブル基板２７２との間のスペーサとして機能する。
また、遮光シート４４２がＳＯＦ２７とヒートシンク４２の基板載置部４２１の前端部との間に介在する。このため、ＳＯＦ２７が保護される。何故ならば、例えばヒートシンク４２の基板載置部４２１の前端部の角部がＳＯＦ２７に直接的に擦過又は衝突する虞がないからである。
【０１１４】
図２０及び図２１に示すように、表示装置１０が遮光凸部３４，３４，…を備えていない場合であっても、漏光空間は存在しない。何故ならば、遮光シート４４２が、表示パネル２１の周縁下辺部２１ａからＬＥＤ基板２６の前側端部までの空間Ｓを覆っているからである。故に、ＬＥＤ２５，２５，…から放射された光の内、導光板２３の内部に入射しなかった光は、遮光シート４４２に遮蔽されるため、表示パネル２１の内部には入射しない。
【０１１５】
次に、遮光シート４４２による放熱について説明する。
ドライバＬＳＩ２７１が発した熱は、一旦フレキシブル基板２７２へ伝導する。フレキシブル基板２７２に伝導した熱は、両面粘着シート４５，４５を介して、遮光シート４４２へ伝導する。遮光シート４４２に伝導した熱は、遮光シート４４２に沿って拡散し、表示パネル２１、ＬＥＤ基板２６、又はヒートシンク４２へ伝導する。
表示パネル２１に伝導した熱は、表示面２１１から表示装置１０の外部へ放出される。
ＬＥＤ基板２６を介して、又は直接的にヒートシンク４２に伝導した熱は、表示装置１０の外部へ放出される。
【０１１６】
以上の結果、ＬＥＤ２５自身又はドライバＬＳＩ２７１自身が発した熱で、ＬＥＤ２５又はドライバＬＳＩ２７１が過熱したり熱暴走したりすることが抑制される。従って、ドライバＬＳＩ２７１（又はＬＥＤ２５）の過熱又は熱暴走等に起因するドライバＬＳＩ２７１、ＬＥＤ２５又は他の電子部品等の動作不良又は破損等を招く虞はない。
【０１１７】
以上のような表示装置１０においても、実施の形態１と同様に光漏れが抑制されるため、表示面２１１に表示される映像の画質が向上する。しかも、遮光シート４４２それ自体を他部材（例えば表示パネル２１）に接着する必要がないため、遮光シート４４２は薄型である。更に、絶縁シート４４１が脱落しない限り、遮光シート４４２の脱落は生じ得ない。
また、挿通孔４４３，４４３，…に位置決め凸部４２３，４２３，…を挿通させれば、ヒートシンク４２に対するシート部材４４の位置決めは容易である。更に、位置決め凸部４２３，４２３，…を位置決め溝３５に挿入すれば、ＬＥＤ遮光ユニット、延いては遮光シート４４２の位置決めは容易である。
【０１１８】
しかも、遮光シート４４２を利用して、各ドライバＬＳＩ２７１が発する熱を効率よく外部へ放出することができる。
ところで、実施の形態１〜５では、表示装置１０が、受信部を備えるテレビ受像機１に適用されている場合を例示したが、これに限定されるものではない。本発明に係る表示装置は、受信部を備えていない電気機器、例えばパーソナルコンピュータ用のディスプレイに適用されてもよい。
【０１１９】
今回開示された実施の形態は、全ての点で例示であって、制限的なものではないと考えられるべきである。本発明の範囲は、上述した意味ではなく、特許請求の範囲と均等の意味及び特許請求の範囲内での全ての変更が含まれることが意図される。
また、本発明の効果がある限りにおいて、テレビ受像機１又は表示装置１０に、実施の形態１〜５に開示されていない構成要素が含まれていてもよい。
【符号の説明】
【０１２０】
１      テレビ受像機
１０    表示装置
１１    受信部
２１    表示パネル
２１１  表示面
２１２  背面
２１ａ  周縁下辺部（光源の側の周縁部）
２３    導光板
２３ｂ  下端面（一側端面）
２５    ＬＥＤ（光源）
２６    ＬＥＤ基板（光源基板）
２７１  ドライバＬＳＩ（駆動回路）
２７２  フレキシブル基板（回路基板）
３１    前キャビネット（キャビネット）
３７    押付部
４１，４４２  遮光シート
４２  ヒートシンク（放熱部材）
４５，４６  両面粘着シート
【図１】
2013130831.tif 000003
【図２】
2013130831.tif 000004
【図３】
2013130831.tif 000005
【図４】
2013130831.tif 000006
【図５】
2013130831.tif 000007
【図６】
2013130831.tif 000008
【図７】
2013130831.tif 000009
【図８】
2013130831.tif 000010
【図９】
2013130831.tif 000011
【図１０】
2013130831.tif 000012
【図１１】
2013130831.tif 000013
【図１２】
2013130831.tif 000014
【図１３】
2013130831.tif 000015
【図１４】
2013130831.tif 000016
【図１５】
2013130831.tif 000017
【図１６】
2013130831.tif 000018
【図１７】
2013130831.tif 000019
【図１８】
2013130831.tif 000020
【図１９】
2013130831.tif 000021
【図２０】
2013130831.tif 000022
【図２１】
2013130831.tif 000023
【図２２】
2013130831.tif 000024
【図２３】
2013130831.tif 000025
【図２４】
2013130831.tif 000026
【図２５】
2013130831.tif 000027
【図２６】
2013130831.tif 000028
【図２７】
2013130831.tif 000029
【図２８】
2013130831.tif 000030
【図２９】
2013130831.tif 000031
【図３０】
2013130831.tif 000032